(57)【要約】【解決手段】プライミング開始時において、移動ハウジング３２は開放位置に停止させておき（図５（ａ））、この状態から透析液を透析液通路３より血液通路４に流入させると、移動ハウジング３２と回転手段３４との間の血液チューブ７ａは押し潰されないので透析液は血液チューブ内を血液ポンプを越えて流れ（図５（ｂ））、その後移動ハウジング３２を送液位置に位置させて開閉クランプ１５を開放すると、今度は透析液が下流側の血液チューブ７ｂ側に流れてゆく（図５（ｃ））。【効果】プライミングを行う際に血液ポンプを逆転させて透析液を逆流させる必要がないため、血液ポンプによる透析液の流量を厳密に調整したり、血液ポンプの回転手段から血液チューブを押し潰す部材を取り外す作業が不要となる。【選択図】　　図５
2004089499.tif 000002
【特許請求の範囲】
【請求項１】
透析器に接続した血液回路と、上記透析器に接続した透析液回路と、上記血液回路に設けた血液ポンプと、上記透析液回路に設けられて透析器に透析液を供給する透析液供給手段と、透析液回路の内圧を高める圧力調整手段とを備え、上記圧力調整手段によって透析液回路の内圧を高めることにより、透析液を透析器を介して血液回路に流入させるようにした透析装置において、
上記血液ポンプは、血液回路の一部を構成する血液チューブを保持するハウジングと、上記血液チューブの一部を押し潰すと共に、その押し潰し部分を血液チューブの長手方向に移動させて該血液チューブ内の血液を圧送する回転手段と、上記ハウジングと回転手段を、回転手段が血液チューブを押し潰す送液位置と、該送液位置から回転手段が血液チューブを開放する開放位置とに移動させる移動手段とを備えると共に、上記圧力調整手段および血液ポンプの作動を制御する制御手段を設け、
この制御手段は圧力調整手段を制御して透析液回路の内圧を高めるとともに、血液ポンプの移動手段を制御してハウジングと回転手段を開放位置とすることで、透析液供給手段から透析器を介して血液回路に流入した透析液を血液ポンプを越えて流通させることを特徴とする透析装置。
【請求項２】
上記血液ポンプは人体から血液を抜き出して透析器に送る血液回路の上流側の血液チューブに設けられると共に、透析器から人体へ血液を戻す下流側の血液チューブには、血液回路を押し潰す開閉クランプを設けて、
前記制御手段は圧力調整手段を制御して透析液回路の内圧を高めるとともに、血液ポンプの移動手段を制御してハウジングと回転手段を開放位置としたときには、上記開閉クランプを制御して閉鎖することで血液回路に流入した透析液を上流側の血液チューブへと流通させ、血液ポンプの移動手段を制御してハウジングと回転手段を送液位置としたときには、回転手段を停止させると共に開閉クランプを開放させることで血液回路に流入した透析液を下流側の血液チューブへと流通させることを特徴とする請求項１に記載の透析装置。
【請求項３】
透析器に接続した血液回路と、上記透析器に接続した透析液回路と、上記血液回路に設けた血液ポンプと、上記透析液回路に設けられて透析器に透析液を供給する透析液供給手段とを備え、上記透析液供給手段からの透析液を透析器から血液回路に流入させて血液回路に透析液を流通させるようにした透析装置の透析液流通方法において、
上記血液ポンプを、上記血液回路の一部を構成する血液チューブを保持するハウジングと、上記血液チューブの一部を押し潰すとともに、その押し潰し部分を血液チューブの長手方向に移動させて該チューブ内の血液を圧送する回転手段とから構成するとともに、上記ハウジングと回転手段を、上記回転手段が血液チューブを押し潰す送液位置と、該送液位置から血液チューブを開放する開放位置とに移動可能に設け、上記透析液流通時には上記ハウジングと回転手段を開放位置として、透析液供給手段から透析器を介して血液回路に流入した透析液を血液ポンプを越えて流通させるようにしたことを特徴とする透析装置の透析液流通方法。
【請求項４】
上記血液ポンプは人体から血液を抜き出して透析器に送る血液回路の上流側の血液チューブに設けられると共に、透析器から人体へ血液を戻す下流側の血液チューブには、血液回路を押し潰す開閉クランプを設けて、
血液ポンプのハウジングと回転手段を開放位置としたときには上記開閉クランプを閉鎖して、血液回路に流入した透析液を上流側の血液チューブへと流通させ、ハウジングと回転手段を送液位置としたときには回転手段を停止させると共に開閉クランプを開放して、血液回路に流入した透析液を下流側の血液チューブへと流通させることを特徴とする請求項３に記載の透析装置の透析液流通方法。
【請求項５】
上記透析装置の透析液流通方法は透析装置のプライミングを行う際に行われることを特徴とする請求項３又は請求項４のいずれかに記載の透析装置の透析液流通方法。
【請求項６】
上記透析装置の透析液流通方法は透析終了時に血液回路内に残留する血液を人体に返血する際に行われることを特徴とする請求項３又は請求項４のいずれかに記載の透析装置の透析液流通方法。
【発明の詳細な説明】
【０００１】
【発明の属する技術分野】
本発明は透析装置と該透析装置の透析液流通方法に関し、詳しくは透析液を透析器から血液回路に流入させる透析装置と該透析装置の透析液流通方法に関する。
【０００２】
【従来の技術】
従来、透析器に接続した血液回路と、上記透析器に接続した透析液回路と、上記血液回路に設けた血液ポンプと、上記透析液回路に設けられて透析器に透析液を供給する透析液供給手段と透析液回路の内圧を高める圧力調整手段とを備え、上記圧力調整手段によって透析液回路の内圧を高めることにより、透析液を透析器を介して血液回路に流入させるようにした透析装置が知られており、透析液を透析器から血液回路に流入させることで、血液回路内に透析液を流通させるようになっている。
ここで、たとえば特開２００１−３７８７２号公報には透析終了時に血液回路内に残留する血液を人体に返血する際の透析装置の透析液流通方法が記載されており、この公報によれば、返血を行う際に血液ポンプを逆回転させて、血液回路に流入した透析液を逆流させ、この透析液を血液ポンプを越えて流通させるようにしている。
また、特許第２９７９２３４号公報によれば、透析開始前のプライミング操作時の透析液流通方法が記載されており、上記血液ポンプを逆転させる代わりに、血液ポンプにおいて血液チューブの一部を押し潰し、その押し潰し部分を血液チューブの長手方向に移動させて該チューブ内の血液を圧送する回転手段から、血液チューブを押し潰す部材を取り外して透析液を血液ポンプを越えて流通させるようにしている。
【０００３】
【発明が解決しようとする課題】
上記特開２００１−３７８７２号公報の場合、血液ポンプが透析液を逆流させる流量は透析液供給手段によって透析器から血液回路に流入した透析液の流量と同量とする必要があり、そうしないと透析器と血液ポンプの間における血液チューブの内圧が高まってチューブが外れることがある。
従って、血液ポンプによる透析液の流量と透析器より血液回路に流入する透析液の流量を厳密に調整しなければならず、高精度に流量を調整することの可能な血液ポンプを使用する必要があった。
これに対し特許第２９７９２３４号公報の場合には上述したような血液チューブの内圧が高まるといった問題が生じることはないが、プライミングを行うたびに回転手段から血液チューブを押し潰す部材を取り外す必要があり、作業が煩雑なものとなっていた。
以上のような問題に鑑み、本発明は血液ポンプによって透析液を逆流させる必要がなく、しかも透析液を血液回路に流通させるたびに煩雑な作業をする必要のない透析装置と該透析装置の透析液流通方法を提供するものである。
【０００４】
【課題を解決するための手段】
すなわち、請求項１に記載の透析装置は、透析器に接続した血液回路と、上記透析器に接続した透析液回路と、上記血液回路に設けた血液ポンプと、上記透析液回路に設けられて透析器に透析液を供給する透析液供給手段と、透析液回路の内圧を高める圧力調整手段とを備え、上記圧力調整手段によって透析液回路の内圧を高めることにより、透析液を透析器を介して血液回路に流入させるようにした透析装置において、
上記血液ポンプは、血液回路の一部を構成する血液チューブを保持するハウジングと、上記血液チューブの一部を押し潰すと共に、その押し潰し部分を血液チューブの長手方向に移動させて該血液チューブ内の血液を圧送する回転手段と、上記ハウジングと回転手段を、回転手段が血液チューブを押し潰す送液位置と、、該送液位置から回転手段が血液チューブを開放する開放位置とに移動させる移動手段とを備えると共に、上記圧力調整手段および血液ポンプの作動を制御する制御手段を設け、
この制御手段は圧力調整手段を制御して透析液回路の内圧を高めるとともに、血液ポンプの移動手段を制御してハウジングと回転手段を開放位置とすることで、透析液供給手段から透析器を介して血液回路に流入した透析液を血液ポンプを越えて流通させることを特徴としている。
【０００５】
また、請求項３の透析装置の透析液流通方法は、透析器に接続した血液回路と、上記透析器に接続した透析液回路と、上記血液回路に設けた血液ポンプと、上記透析液回路に設けられて透析器に透析液を供給する透析液供給手段とを備え、上記透析液供給手段からの透析液を透析器から血液回路に流入させて血液回路に透析液を流通させるようにした透析装置の透析液流通方法において、
上記血液ポンプを、上記血液回路の一部を構成する血液チューブを保持するハウジングと、上記血液チューブの一部を押し潰すとともに、その押し潰し部分を血液チューブの長手方向に移動させて該チューブ内の血液を圧送する回転手段とから構成するとともに、上記ハウジングと回転手段を、上記回転手段が血液チューブを押し潰す送液位置と、該送液位置から血液チューブを開放する開放位置とに移動可能に設け、上記透析液流通時には上記ハウジングと回転手段を開放位置として、透析液供給手段から透析器を介して血液回路に流入した透析液を血液ポンプを越えて流通させるようにしたことを特徴としている。
【０００６】
上記請求項１の発明によれば、圧力調整手段によって透析液を透析液供給手段から透析器を介して血液回路に流入させた際に、制御手段によってハウジングと回転手段とを開放位置に位置させておくことで、血液ポンプを逆転させて透析液を逆流させなくとも、当該透析液は血液ポンプを越えて流通するようになる。
このように、従来のように血液ポンプを逆転させて透析液を逆流させる必要がないため、血液ポンプによる透析液の流量を厳密に調整する必要がなくなり、また透析器から血液回路に流入する透析液の流量を測定する必要もなくなる。
しかも、移動手段の作動によって特許第２９７９２３４号公報のように透析液を流通させるたびに血液チューブを押し潰す部材を取り外すといった煩雑な作業をする必要もなくなる。
【０００７】
また、上記請求項３の発明によれば、透析液を透析液供給手段から透析器を介して血液回路に流入させた際に、ハウジングと回転手段とを開放位置に位置させておけば、血液ポンプを逆転させて透析液を逆流させなくとも、当該透析液は血液ポンプを越えて流通するようになる。
このように、血液ポンプを逆転させて透析液を逆流させる必要がないため、血液ポンプによる透析液の流量を厳密に調整する必要がなくなり、また透析器から血液回路に流入する透析液の流量を測定する必要もなくなる。
しかも、移動手段の作動によって特許第２９７９２３４号公報のように透析液を流通させるたびに血液チューブを押し潰す部材を取り外すといった煩雑な作業をする必要もなくなる。
【０００８】
【発明の実施の形態】
以下図示実施例について説明すると、図１は本実施例における透析装置１の回路図を示し、この透析装置１は透析器２と、透析器２に接続されて透析液を流通させる透析液回路３と、上記透析器２に接続されて血液を流通させる血液回路４とを有し、この透析装置１全体は制御手段５によって制御されるようになっている。
上記透析器２は血液の流れが上から下に向けて流れるよう、縦方向に設置されており、その内部には束ねられた多数の中空糸が設けられていて、この中空糸の内側を血液が流れ、外側を透析液が流れるようになっている。なお、図１には模式的に透析器２内に１本の中空糸６を記載してあり、この中空糸６の内側を血液室２Ａ、外側を透析液室２Ｂとしている。
また、血液室２Ａの上下端には上記血液回路４を構成する血液チューブ７ａ、７ｂが接続され、透析器２の透析液室２Ｂの上下位置には透析液回路３を構成する透析液チューブ８ａ、８ｂが接続されている。
最初に、透析液室２Ｂでは、通常透析液は透析器の下から上に向けて流れるようになっており、透析液室２Ｂの上方側に接続されている透析液チューブ８ａの端部である排液口９は病院設備の廃液管に接続されて透析器２によって透析した後の処理済透析液を排出し、下方側に接続されている透析液チューブ８ｂの端部である給液口１０は未使用透析液を調整する図示しない透析液調整装置に接続された給液管に接続されている。
さらに、透析液回路３には透析器２に供給する未使用透析液の供給量と、透析器２からの処理済透析液の回収量を制御する透析液供給手段１１が設けられており、上記透析器２と透析液供給手段１１との間となる透析液チューブ８ａには処理済透析液を透析液供給手段１１へと送出する送液ポンプ１２が設けられ、透析液チューブ８ｂの給液口１０と透析液供給手段１１の間には未使用透析液を透析液供給手段１１へと送出する給液用ポンプ１３が設けられている。
一方、上記血液室２Ａにおいては、透析時に血液は透析器２の上から下に向けて流れるようになっていて、血液室２Ａの上方側に接続されている血液チューブ７ａのもう一方の端は人体につながれ、下方側に接続されている血液チューブ７ｂのもう一方の端も人体につながれるようになっている。したがって、透析時には血液が上記血液チューブ７ａを上流側として、透析器２、血液チューブ７ｂの順に流通するようになっている。
さらに、上記上流側の血液チューブ７ａには血液回路４内に血液を送出する血液ポンプ１４が設けられていると共に、下流側の血液チューブ７ｂには血液チューブ７ｂを押し潰してその内部の流れを阻止する開閉クランプ１５が設けられていて、これら血液ポンプ１４と開閉クランプ１５も上記制御手段５によって制御されるようになっている。
【０００９】
以下に図１を用いて透析液回路３について説明すると、上述したように透析器２の透析液室２Ｂの上方側には処理済透析液が流通する透析液チューブ８ａが接続されており、透析液室２Ｂの下方側には未使用透析液の流通する透析液チューブ８ｂが接続されている。この透析液チューブ８ａと透析液チューブ８ｂとの間には上記透析液供給手段１１が設けられ、透析液回路３内を流通する未使用透析液の供給量と処理済透析液の回収量はこの透析液供給手段１１によって制御される。
また、上記給液側の透析液チューブ８ｂにおいて透析器２と透析液供給手段１１の間にはエンドトキシン除去手段２１が設けられており、透析液内のエンドトキシンを除去するようになっている。
上記透析液供給手段１１は同形の第１チャンバ１１Ａと第２チャンバ１１Ｂを有しており、第１チャンバ１１Ａと第２チャンバ１１Ｂの間には圧力調整手段としてのポンプ２２が設けられている。
各チャンバ１１Ａ，１１Ｂ内には２枚ずつダイアフラム２３が設けられていて、透析器２の下流側となる透析液チューブ８ａが接続される回収室２４ａ、２４ｂと、透析器２の上流側となる透析液チューブ８ｂが接続される供給室２５ａ，２５ｂに区画されると共に、これら回収室２４ａ、２４ｂと供給室２５ａ，２５ｂの間に可変容積室２６ａ，２６ｂが区画されている。
そして、上記回収室２４ａ、２４ｂには制御手段５によって制御される第１、第２三方弁２７Ａ，２７Ｂが接続されていて、この三方弁の作動によって、透析器２と透析液チューブ８ａの排液口９がそれぞれ回収室２４ａと回収室２４ｂとに選択的に連通されるようになっている。
これと同様、供給室２５ａ，２５ｂにも制御手段５によって制御される第３、第４三方弁２７Ｃ，２７Ｄが接続されていて、この三方弁の作動によって、透析器２と透析液チューブ８ｂの給液口１０が、それぞれ供給室２５ａと供給室２５ｂとに選択的に連通されるようになっている。
また、各可変容積室２６ａ，２６ｂ内にはシリコーンオイルが封入されていて、このシリコーンオイルの量は上記ポンプ２２によって制御されるようになっていて、一方から他方へシリコーンオイルが送られて、一方のチャンバの可変容積室におけるシリコーンオイルの量が増加すれば、これと同量のシリコーンオイルの量がもう一方のチャンバの可変容積室において減少するようになっている。
【００１０】
次に、上記血液回路４についてさらに説明すると、上記血液ポンプ１４は透析時においては血液を上流側の血液チューブ７ａから下流側の血液チューブ７ｂへと送出し、プライミング時および返血時においては、血液ポンプ１４は後述するようにポンプとしての作動は行わず、血液チューブ７ａを押し潰して透析液の流れを遮断し、下流側の血液チューブ７ｂの端部より透析液を排出するようになっている。
また上記開閉クランプ１５は透析時には制御手段５によって常時開かれており、プライミング時および返血時においてはこの開閉クランプ１５が血液チューブ７ｂを押し潰して透析液の流れを遮断し、上流側の血液チューブ７ａに透析液を行き渡らせ、その端部から透析液を排出するようになっている。
また血液ポンプ１４と透析器２との間および透析器２と開閉クランプ１５との間にはドリップチャンバ２８、２９が設けられていて、これらドリップチャンバ２８、２９より下流に空気を含んだ液体が流通するのを防止するようになっている。
【００１１】
図２ないし図４は上記血液ポンプ１４を示すものであり、図３は図２のＩＩＩ−ＩＩＩ断面を示している。この血液ポンプ１４は透析装置１のケーシング１ａに固定されている固定ハウジング３１と、この固定ハウジング３１に対して送液位置と開放位置に往復動可能に設けられた移動ハウジング３２と、この移動ハウジング３２を移動させる移動手段３３と、上記両ハウジング３１，３２内に保持される図示しない血液チューブ７ａを押圧しながら回転して血液を送出する回転手段３４によって構成されている。
また、図２、図３は上記移動ハウジング３２が送液位置にある状態を示し、図４は移動ハウジング３２が開放位置にある状態を示している。
上記固定ハウジング３１は図３に示すようにケーシング１ａの表面に固定されており、図２の図示上下位置にガイド部３１ａを有していてその互いに対向する面を、一部を円弧形状とし、残りを直線形状としたガイド面３１ｂとしている。また、ガイド部３１ａには上記ガイド面３１ｂから延長して形成され上記移動ハウジング３２を図示上下方向から保持する保持面３１ｃが形成されており、このガイド面３１ｂと保持面３１ｃとの間は段差部３１ｄとなっていて、後述する移動ハウジング３２の当接面３２ａと当接するようになっている。
【００１２】
そして移動ハウジング３２の図示上下には上述したように上記固定ハウジング３１の保持面３１ｃと摺動する摺動面３２ｂが形成されると共に、この摺動面３２ｂには移動ハウジング３２の移動方向にあわせて突起３２ｃが設けられており、これに対し上記固定ハウジング３１の保持面３１ｃにはこの突起３２ｃにあわせた溝３１ｅが形成されている。
また、移動ハウジング３２の固定ハウジング３１側の端部は、上記固定ハウジング３１の段差部３１ｄに当接する上記当接面３２ａとなっていて、この当接面３２ａが上記段差部３１ｄに当接した状態が図２に示す移動ハウジング３２の送液位置となっている。
さらに、移動ハウジング３２にも上記固定ハウジング３１のガイド面３１ｂに連続して、血液チューブ７ａをガイドする円弧形状のガイド面３２ｄが形成されており、図２で示す送液位置において固定ハウジング３１のガイド面３１ｂと移動ハウジング３２のガイド面３２ｄとが連続した円弧形状となるように形成されている。
このガイド面３２ｄと上記ガイド面３１ｂとにより、血液チューブ７ａの一部を回転手段３４と共に押し潰し、その押し潰し部分を血液チューブ７ａの長手方向に移動させて血液チューブ７ａ内の血液を圧送するようになっている。
また、移動ハウジング３２には、移動ハウジング３２の移動方向に対して直交する方向、即ち図示上下方向に長穴３５が形成されていて、この長穴３５は移動ハウジング３２を貫通し、この長穴３５の位置にあわせてケーシング１ａにも貫通孔３６が形成されている。
【００１３】
そして上記移動ハウジング３２を移動させる移動手段３３はケーシング１ａの裏側に設けられる移動用モータ３７と、この移動用モータ３７より上記貫通孔３６を介して移動ハウジング３２の長穴３５の内部に突出する駆動軸３８と、この駆動軸３８の先端に設けられている円柱状の回転子３９によって構成されている。
上記移動用モータ３７は制御手段５によって制御され、所定量回転、停止されるようになっている。また、駆動軸３８は回転子３９の中心よりも所定量だけ偏心させた位置に固定されている。
このように、上記駆動軸３８を回転子３９の中心に対して偏心させることで、この回転子３９が移動用モータ３７によって回転すると、上記長穴３５を介して移動ハウジング３２が押し出されると共に引き戻され、固定ハウジング３１および回転手段３４に対して、送液位置と開放位置とに移動する。
【００１４】
そして、上記回転手段３４はポンプ用モータ４０と、当該ポンプ用モータ４０の駆動軸４１に設けられたロータ４２と、このロータ４２に揺動可能に設けられた２つのアーム部４３と、各アーム部４３に回転可能に取り付けられたローラ４４とを備えている。
上記ポンプ用モータ４０はケーシング１ａの裏面側に設けられていて、その駆動軸４１はケーシング１ａと固定ハウジング３１に穿設された貫通孔４５，４６を介して固定ハウジング３１の内側に突出して上記ロータ４２の中心に固定されている。また、このポンプ用モータ４０も制御手段５によってその回転を制御されるようになっている。
次にアーム部４３はロータ４２の図示左右に設けられ、図示するように略三角形状を有しており、ロータ４２側に位置する２つの頂部のうち一方の頂部はロータ４２に設けられた支持部４２ａによって軸支され、もう一方の頂部にはロータ４２との間にばね４７が弾装されていて、アーム部４３を外側に押圧するようになっている。
そしてアーム部４３の残りの頂部には円柱状のローラ４４が回転可能に設けられており、このローラ４４が上記両ハウジング３１，３２のガイド面３１ｂ、３２ｄとローラ４４との間に位置する血液チューブ７ａの一部を押し潰し、その押し潰し部分を血液チューブの長手方向に移動させて該チューブ内の血液をポンプ用モータ４０の回転方向に向けて送出するようになっている。
【００１５】
また、本実施例における血液ポンプ１４のポンプ用モータ４０はサーボモータとなっていて、上記回転手段３４のローラ４４を任意の位置に停止させることができ、上記ローラ４４の位置を、一方が両ガイド面３１ｂの直線形状部分の間に位置し、他方がガイド面３２ｂに対向して位置する図示水平となる位置で停止させるようになっている。
これにより、ローラ４４がこの位置に停止し、なおかつ移動ハウジング３２が図４の開放位置にあるときには、ガイド面３１ｂ、ガイド面３２ｄとローラ４４との間で、血液チューブ７ａは押し潰されることがなく、血液チューブ７ａ内の液体の流通を妨げないようになっている。
一方、移動ハウジング３２が図２の送液位置にあるときには、ガイド面３２ｄとローラ４４との間で、血液チューブ７ａは押し潰されて、血液チューブ７ａ内の液体の流通が阻止されるようになっている
このように本実施例においては、血液チューブ７ａに透析液を流通させるに際して、ポンプ用モータ４０を透析時の回転方向に対して逆方向に回転させる必要がなく、ポンプ用モータ４０は１方向にしか回転しない構造とすることができ、正逆回転可能な血液ポンプを用いる場合のように、誤作動や操作ミスなどによってポンプ用モータが不必要に逆転して、血液を逆流させるといった事故が発生する危険性が全くなく、透析装置の安全性を向上させることができる
なお、本実施例における移動手段３３は移動用モータ３７を使用したものとなっているが、その代わりにエアシリンダなど、他の手段を用いてもよい。
【００１６】
以上のような構成を有する透析装置を用いた本発明における透析液流通方法について、プライミングを行う場合について説明する。プライミング開始時の状態を図１によって示し、このとき血液回路４の血液チューブ７ａ、７ｂは人体から取り外されており、これら血液チューブ７ａ、７ｂの内部には空気が入っている。
また、下流側の血液チューブ７ｂに設けられた開閉クランプ１５は閉鎖されており、血液ポンプ１４の移動ハウジング３２は移動手段３３によって開放位置に位置され、回転手段３４は図４で示す水平位置で停止されている。
さらに、透析液回路３内の透析液は未使用透析液で満たされ、各チャンバ１１Ａ，１１Ｂの回収室２４ａ、２４ｂと供給室２５ａ、２５ｂには同量の透析液が収容され、可変容積室２６ａ、２６ｂのそれぞれにも同量のシリコーンオイルが収容された状態となっている。
そして第１チャンバ１１Ａの回収室２４ａと供給室２５ａが透析器２の透析液室２Ｂと連通するように第１、第３三方弁２７Ａ，２７Ｃが作動し、第２チャンバ１１Ｂの回収室２４ｂと供給室２５ｂがそれぞれ排液口９と給液口１０に連通するように第２、第４三方弁２７Ｂ，２７Ｄが作動している。従って、第１チャンバ１１Ａと透析器２とによって閉回路が形成されている。
【００１７】
この状態で送液ポンプ１２を作動させると、透析液は供給室２５ａから回収室２４ａへ送られ、回収室２４ａの体積が透析液によって増大し、これに伴って供給室２５ａの体積は減少する。
また、これと同時に第２チャンバ１１Ｂの側においては給液用ポンプ１３によって給液口１０より供給室２５ｂへと未使用透析液が流入し、供給室２５ｂの体積の増加と共に回収室２４ｂの体積が減少して回収室２４ｂ内の透析液が排液口９へ送られる。（図５（ａ））
そして、所定時間ごとに第１、第３三方弁２７Ａ，２７Ｃおよび第２、第４三方弁２７Ｂ，２７Ｄの作動を切り換えることにより、第１チャンバ１１Ａと第２チャンバ１１Ｂとが交互に透析器２と接続されて閉回路を形成し、透析液を継続して透析液室２Ｂに流通させることができる。
このような動作において、本実施例では、まず透析器２と接続され閉回路を形成している第１チャンバ１１Ａの可変容積室２６ａに、ポンプ２２によってもう一方の第２チャンバ１１Ｂの可変容積室２６ｂからシリコーンオイルを供給して可変容積室２６ａの体積を増加させるようになっており、第１、第３三方弁２７Ａ、２７Ｃおよび第２、第４三方弁２７Ｂ、２７Ｄの作動を切換えて閉回路を形成するチャンバが切換えられる毎に、ポンプ２２の送液方向を切り換えるようになっている。これにより、可変容積室のシリコーンオイルの増加量に応じて閉回路となっている透析液回路の内圧が高められ、給液室２５ａ、２５ｂから供給される透析液は、その増加量に相当する量が透析器２を介して血液回路４に流入されるようになる。本実施例ではこれら可変容稽室２６ａ、２６ｂおよびポンプ２２により圧力調整手段を構成している。
プライミング動作が開始されると、上記の如く透析液が透析器２を介して透析回路３から血液回路４へ流入されるので、移動ハウジング３２が開放位置に位置されている血液ポンプ１４を越えて血液チューブ７ａを透析液が流通し、その端部から排出されるようになる。（図５（ｂ））
【００１８】
そして、所定時間の経過により、上流側の血液チューブ７ａに予め設定した量の透析液が流通されたら、制御手段５は上記開閉クランプ１５を制御して血液チューブ７ｂを押し潰していたのを開放し、一方、血液ポンプ１４の移動手段３３を制御して移動ハウジング３２を送液位置へと移動させる。（図５（ｃ））
移動ハウジング３２が送液位置に位置することで、上記回転手段３４と移動ハウジング３２によって血液チューブ７ａが押し潰されて液体の流通が遮断されるので、血液回路４に流入した透析液は血液チューブ７ａの端部からは排出されず、下流側の血液チューブ７ｂを流通してその端部から排出されるようになる。
そして、所定時間の経過により、下流側の血液チューブ７ｂに予め設定した量の透析液が流通されたら、制御手段５は圧力調整手段による血液回路４への透析液の流入動作を停止させ、プライミング工程を停止させる。
このような本発明における透析液流通方法によれば、縦方向に設置された透析器２の上部に接続された血液チューブ７ａにも、必要な量の透析液を、迅速かつ十分に流通させることができる。
【００１９】
なお、本実施例のような透析液供給手段を用いた透析装置は従来公知であるので、これ以降、通常の透析時における透析装置の動作についての説明は省略する。
次に、透析終了後に血液回路４に残留する血液を人体に返血する場合についても、上記プライミング工程の場合と同様に本発明における透析液流通方法により行うことができ、透析終了後、人体に繋がれたままの上流側の血液チューブ７ａと下流側の血液チューブ７ｂに、順次、透析器２を介して流入される透析液を流通させることで、各チューブ内の血液を体内に押し出し、それぞれのチューブから血液が全て排出されたら返血工程を終了する。
なお、上記実施例のような血液ポンプと開閉クランプが血液回路に設けられていれば、本実施例の透析液回路の構成でなくとも本実施例と同様の効果が得られ、例えば上記特許第２９７９２３４号公報に開示される透析液回路のように、透析液供給手段としての透析液ポンプと、透析器の下流側で透析液チューブを押し潰す圧力調整手段としての絞り手段を備える透析装置であっても、上記実施例のように血液ポンプの移動ハウジングが送液位置に位置していれば、血液ポンプを逆転させなくとも、血液回路に透析液を流通させることができる。
また、透析液供給手段として供給量と回収量を等量とし除水ポンプを備えた方式の透析装置において、圧力調整手段として除水ポンプを逆転させて透析液回路に透析液を供給し内圧を高めるようにした構成であっても同様の効果を得ることができる。
【００２０】
【発明の効果】
上記発明によれば、プライミング等を行う際に血液ポンプを逆転させて透析液を逆流させる必要がないため、血液ポンプによる透析液の流量を厳密に調整したり、回転手段から血液チューブを押し潰す部材を取り外すという作業が不要となる。
【図面の簡単な説明】
【図１】本実施例における透析装置の回路図。
【図２】本実施例における血液ポンプの平面図。
【図３】図２の断面図
【図４】図２に対し、移動ハウジングが開放位置あることを示す平面図
【図５】本実施例におけるプライミングの手順を示し、（ａ）は第１チャンバの回収室に透析液が満たされている状態、（ｂ）は定量ポンプが作動して透析液が血液回路に流入している状態、（ｃ）は移動ハウジングが送液位置に位置している状態を示している。透析装置の回路図
【符号の説明】
１　透析装置　　　　　　　　　２　透析器
３　透析液回路　　　　　　　　４　血液回路
５　制御手段　　　　　　　　　７ａ，７ｂ　血液チューブ
８ａ，８ｂ　透析液チューブ　　１１　透析液供給手段
１４　血液ポンプ　　　　　　　１５　開閉クランプ
２２　ポンプ　　　　　　　　　２４ａ、２４ｂ　回収室
２５ａ、２５ｂ　供給室　　　　２６ａ、２６ｂ　可変容積室
２７Ａ〜２７Ｄ　三方弁　　　　３２　移動ハウジング
３４　回転手段
【図１】
2004089499.tif 000003
【図２】
2004089499.tif 000004
【図３】
2004089499.tif 000005
【図４】
2004089499.tif 000006
【図５】
2004089499.tif 000007